【手続補正書】
【提出日】平成18年3月16日(2006.3.16)
【手続補正１】
【補正対象書類名】明細書
【補正対象項目名】発明の名称
【補正方法】変更
【補正の内容】
【発明の名称】光ディスク装置、および記録又は再生方法、並びに媒体
【手続補正２】
【補正対象書類名】明細書
【補正対象項目名】特許請求の範囲
【補正方法】変更
【補正の内容】
【特許請求の範囲】
【請求項１】  光ディスクに対してデータを記録または再生する光ディスク装置において、
前記光ディスクに対して前記データを記録または再生する記録又は再生手段と、
前記光ディスクのトラックに対する、前記記録又は再生手段の移動方向の反転を検出する検出手段と、
前記光ディスクが１回転する期間のうちの、所定の期間のトラバース信号の振幅および振動回数を算出する算出手段と、
前記所定の期間の前記トラバース信号の振幅を基に、トラッキングエラー信号のレベルを調整する調整手段と、
前記調整手段が、前記検出手段により反転が検出された前記所定の期間、または前記トラバース信号の振動回数が所定の値以上である前記所定の期間の前記トラバース信号に基づいて、調整処理を行うのを禁止する禁止手段と
を含むことを特徴とする光ディスク装置。
【請求項２】  光ディスクに対してデータを記録または再生する光ディスク装置の記録又は再生方法において、
前記光ディスクに対して前記データを記録または再生する記録又は再生ステップと、
前記光ディスクのトラックに対する、前記記録又は再生ステップでの移動方向の反転を検出する検出ステップと、
前記光ディスクが１回転する期間のうちの、所定の期間のトラバース信号の振幅および振動回数を算出する算出ステップと、
前記所定の期間の前記トラバース信号の振幅を基に、トラッキングエラー信号のレベルを調整する調整ステップと、
前記調整ステップで、前記検出ステップにおいて反転が検出された前記所定の期間、または前記トラバース信号の振動回数が所定の値以上である前記所定の期間の前記トラバース信号に基づいて、調整処理を行うのを禁止する禁止ステップと
を含むことを特徴とする記録又は再生方法。
【請求項３】  光ディスクに対してデータを記録または再生する記録又は再生処理用のプログラムであって、
前記光ディスクに対して前記データを記録または再生する記録又は再生ステップと、
前記光ディスクのトラックに対する、前記記録又は再生ステップでの移動方向の反転を検出する検出ステップと、
前記光ディスクが１回転する期間のうちの、所定の期間のトラバース信号の振幅および振動回数を算出する算出ステップと、
前記所定の期間の前記トラバース信号の振幅を基に、トラッキングエラー信号のレベルを調整する調整ステップと、
前記調整ステップで、前記検出ステップにおいて反転が検出された前記所定の期間、または前記トラバース信号の振動回数が所定の値以上である前記所定の期間の前記トラバース信号に基づいて、調整処理を行うのを禁止する禁止ステップと
を含むことを特徴とするプログラムをコンピュータに実行させる媒体。
【請求項４】  光ディスクに対してデータを記録または再生する光ディスク装置において、
前記光ディスクに対して前記データを記録または再生する記録又は再生手段と、
前記光ディスクのトラックに対する、前記記録又は再生手段の移動方向の反転を検出する検出手段と、
前記光ディスクが１回転する期間のうちの、所定の期間のトラバース信号の振幅からオフセットを算出する算出手段と、
前記所定の期間の前記トラバース信号のオフセットを基に、トラッキングエラー信号のオフセットを調整する調整手段と、
前記調整手段が、前記検出手段により反転が検出された前記所定の期間の前記トラバース信号に基づいて、調整処理を行うのを禁止する禁止手段と
を含むことを特徴とする光ディスク装置。
【請求項５】  光ディスクに対してデータを記録または再生する光ディスク装置の記録又は再生方法において、
前記光ディスクに対して前記データを記録または再生する記録又は再生ステップと、
前記光ディスクのトラックに対する、前記記録又は再生ステップでの移動方向の反転を検出する検出ステップと、
前記光ディスクが１回転する期間のうちの、所定の期間のトラバース信号の振幅からオフセットを算出する算出ステップと、
前記所定の期間の前記トラバース信号のオフセットを基に、トラッキングエラー信号のオフセットを調整する調整ステップと、
前記調整ステップで、前記検出ステップにおいて反転が検出された前記所定の期間の前記トラバース信号に基づいて、調整処理を行うのを禁止する禁止ステップと
を含むことを特徴とする記録又は再生方法。
【請求項６】  光ディスクに対してデータを記録または再生する記録又は再生処理用のプログラムであって、
前記光ディスクに対して前記データを記録または再生する記録又は再生ステップと、
前記光ディスクのトラックに対する、前記記録又は再生ステップでの移動方向の反転を検出する検出ステップと、
前記光ディスクが１回転する期間のうちの、所定の期間のトラバース信号の振幅からオフセットを算出する算出ステップと、
前記所定の期間の前記トラバース信号のオフセットを基に、トラッキングエラー信号のオフセットを調整する調整ステップと、
前記調整ステップで、前記検出ステップにおいて反転が検出された前記所定の期間の前記トラバース信号に基づいて、調整処理を行うのを禁止する禁止ステップと
を含むことを特徴とするプログラムをコンピュータに実行させる媒体。
【請求項７】  光ディスクに対してデータを記録または再生する光ディスク装置において、
前記光ディスクが１回転する期間のトラバース信号の振動回数をカウントするカウント手段と、
前記カウント手段によりカウントされた、前記光ディスクが１回転する期間のトラバース信号の振動回数、および前記光ディスクが１回転する期間のうちの、所定の期間当たりの前記振動回数の変化を基に、前記光ディスクの偏芯量を算出する算出手段と
を含むことを特徴とする光ディスク装置。
【請求項８】  光ディスクに対してデータを記録または再生する光ディスク装置の記録又は再生方法において、
前記光ディスクが１回転する期間のトラバース信号の振動回数をカウントするカウントステップと、
前記カウントステップでカウントされた、前記光ディスクが１回転する期間のトラバース信号の振動回数、および前記光ディスクが１回転する期間のうちの、所定の期間当たりの前記振動回数の変化を基に、前記光ディスクの偏芯量を算出する算出ステップと
を含むことを特徴とする記録又は再生方法。
【請求項９】  光ディスクに対してデータを記録または再生する記録又は再生処理用のプログラムであって、
前記光ディスクが１回転する期間のトラバース信号の振動回数をカウントするカウントステップと、
前記カウントステップでカウントされた、前記光ディスクが１回転する期間のトラバース信号の振動回数、および前記光ディスクが１回転する期間のうちの、所定の期間当たりの前記振動回数の変化を基に、前記光ディスクの偏芯量を算出する算出ステップと
を含むことを特徴とするプログラムをコンピュータに実行させる媒体。
【請求項１０】  光ディスクに対してデータを記録または再生する光ディスク装置において、
前記光ディスクに対して前記データを記録または再生する記録又は再生手段と、
前記光ディスクのトラックに対する、前記記録又は再生手段の移動方向の反転を検出する検出手段と、
前記光ディスクが１回転する期間のうちの、所定の期間のトラバース信号の振幅からオフセットを算出するオフセット算出手段と、
前記所定の期間の前記トラバース信号のオフセットの最大値および最小値から前記光ディスクの面ぶれの量を算出する面ぶれ量算出手段と、
前記面ぶれ量算出手段が、前記検出手段により反転が検出された前記所定の期間の前記トラバース信号に基づいて、面ぶれの量を算出するのを禁止する禁止手段と
を含むことを特徴とする光ディスク装置。
【請求項１１】  光ディスクに対してデータを記録または再生する光ディスク装置の記録又は再生方法において、
前記光ディスクに対して前記データを記録または再生する記録又は再生ステップと、
前記光ディスクのトラックに対する、前記記録又は再生ステップでの移動方向の反転を検出する検出ステップと、
前記光ディスクが１回転する期間のうちの、所定の期間のトラバース信号の振幅からオフセットを算出するオフセット算出ステップと、
前記所定の期間の前記トラバース信号のオフセットの最大値および最小値から前記光ディスクの面ぶれの量を算出する面ぶれ量算出ステップと、
前記面ぶれ量算出ステップで、前記検出ステップにおいて反転が検出された前記所定の期間の前記トラバース信号に基づいて、面ぶれの量を算出するのを禁止する禁止ステップと
を含むことを特徴とする記録又は再生方法。
【請求項１２】  光ディスクに対してデータを記録または再生する記録又は再生処理用のプログラムであって、
前記光ディスクに対して前記データを記録または再生する記録又は再生ステップと、
前記光ディスクのトラックに対する、前記記録又は再生ステップでの移動方向の反転を検出する検出ステップと、
前記光ディスクが１回転する期間のうちの、所定の期間のトラバース信号の振幅からオフセットを算出するオフセット算出ステップと、
前記所定の期間の前記トラバース信号のオフセットの最大値および最小値から前記光ディスクの面ぶれの量を算出する面ぶれ量算出ステップと、
前記面ぶれ量算出ステップで、前記検出ステップにおいて反転が検出された前記所定の期間の前記トラバース信号に基づいて、面ぶれの量を算出するのを禁止する禁止ステップと
を含むことを特徴とするプログラムをコンピュータに実行させる媒体。
【手続補正３】
【補正対象書類名】明細書
【補正対象項目名】０００１
【補正方法】変更
【補正の内容】
【０００１】
【発明の属する技術分野】
本発明は、光ディスク装置、および記録又は再生方法、並びに媒体に関し、特に、光ディスクに対してデータを記録または再生する光ディスク装置、および記録又は再生、並びに媒体に関する。
【手続補正４】
【補正対象書類名】明細書
【補正対象項目名】００２８
【補正方法】変更
【補正の内容】
【００２８】
【課題を解決するための手段】
請求項１に記載の光ディスク装置は、光ディスクに対してデータを記録または再生する記録又は再生手段と、光ディスクのトラックに対する、記録又は再生手段の移動方向の反転を検出する検出手段と、光ディスクが１回転する期間のうちの、所定の期間のトラバース信号の振幅および振動回数を算出する算出手段と、所定の期間のトラバース信号の振幅を基に、トラッキングエラー信号のレベルを調整する調整手段と、調整手段が、検出手段により反転が検出された所定の期間、またはトラバース信号の振動回数が所定の値以上である所定の期間のトラバース信号に基づいて、調整処理を行うのを禁止する禁止手段とを含むことを特徴とする。
【手続補正５】
【補正対象書類名】明細書
【補正対象項目名】００２９
【補正方法】変更
【補正の内容】
【００２９】
請求項２に記載の記録又は再生方法は、光ディスクに対してデータを記録または再生する記録又は再生ステップと、光ディスクのトラックに対する、記録又は再生ステップでの移動方向の反転を検出する検出ステップと、光ディスクが１回転する期間のうちの、所定の期間のトラバース信号の振幅および振動回数を算出する算出ステップと、所定の期間のトラバース信号の振幅を基に、トラッキングエラー信号のレベルを調整する調整ステップと、調整ステップで、検出ステップにおいて反転が検出された所定の期間、またはトラバース信号の振動回数が所定の値以上である所定の期間のトラバース信号に基づいて、調整処理を行うのを禁止する禁止ステップとを含むことを特徴とする。
【手続補正６】
【補正対象書類名】明細書
【補正対象項目名】００３０
【補正方法】変更
【補正の内容】
【００３０】
請求項３に記載の媒体のプログラムは、光ディスクに対してデータを記録または再生する記録又は再生ステップと、光ディスクのトラックに対する、記録又は再生ステップでの移動方向の反転を検出する検出ステップと、光ディスクが１回転する期間のうちの、所定の期間のトラバース信号の振幅および振動回数を算出する算出ステップと、所定の期間のトラバース信号の振幅を基に、トラッキングエラー信号のレベルを調整する調整ステップと、調整ステップで、検出ステップにおいて反転が検出された所定の期間、またはトラバース信号の振動回数が所定の値以上である所定の期間のトラバース信号に基づいて、調整処理を行うのを禁止する禁止ステップとを含むことを特徴とする。
【手続補正７】
【補正対象書類名】明細書
【補正対象項目名】００３１
【補正方法】変更
【補正の内容】
【００３１】
請求項４に記載の光ディスク装置は、光ディスクに対してデータを記録または再生する記録又は再生手段と、光ディスクのトラックに対する、記録又は再生手段の移動方向の反転を検出する検出手段と、光ディスクが１回転する期間のうちの、所定の期間のトラバース信号の振幅からオフセットを算出する算出手段と、所定の期間のトラバース信号のオフセットを基に、トラッキングエラー信号のオフセットを調整する調整手段と、調整手段が、検出手段により反転が検出された所定の期間のトラバース信号に基づいて、調整処理を行うのを禁止する禁止手段とを含むことを特徴とする。
【手続補正８】
【補正対象書類名】明細書
【補正対象項目名】００３２
【補正方法】変更
【補正の内容】
【００３２】
請求項５に記載の記録又は再生方法は、光ディスクに対してデータを記録または再生する記録又は再生ステップと、光ディスクのトラックに対する、記録又は再生ステップでの移動方向の反転を検出する検出ステップと、光ディスクが１回転する期間のうちの、所定の期間のトラバース信号の振幅からオフセットを算出する算出ステップと、所定の期間のトラバース信号のオフセットを基に、トラッキングエラー信号のオフセットを調整する調整ステップと、調整ステップで、検出ステップにおいて反転が検出された所定の期間のトラバース信号に基づいて、調整処理を行うのを禁止する禁止ステップとを含むことを特徴とする。
【手続補正９】
【補正対象書類名】明細書
【補正対象項目名】００３３
【補正方法】変更
【補正の内容】
【００３３】
請求項６に記載の媒体のプログラムは、光ディスクに対してデータを記録または再生する記録又は再生ステップと、光ディスクのトラックに対する、記録又は再生ステップでの移動方向の反転を検出する検出ステップと、光ディスクが１回転する期間のうちの、所定の期間のトラバース信号の振幅からオフセットを算出する算出ステップと、所定の期間のトラバース信号のオフセットを基に、トラッキングエラー信号のオフセットを調整する調整ステップと、調整ステップで、検出ステップにおいて反転が検出された所定の期間のトラバース信号に基づいて、調整処理を行うのを禁止する禁止ステップとを含むことを特徴とする。
【手続補正１０】
【補正対象書類名】明細書
【補正対象項目名】００３５
【補正方法】変更
【補正の内容】
【００３５】
請求項８に記載の記録又は再生方法は、光ディスクが１回転する期間のトラバース信号の振動回数をカウントするカウントステップと、カウントステップでカウントされた、光ディスクが１回転する期間のトラバース信号の振動回数、および光ディスクが１回転する期間のうちの、所定の期間当たりの振動回数の変化を基に、光ディスクの偏芯量を算出する算出ステップとを含むことを特徴とする。
【手続補正１１】
【補正対象書類名】明細書
【補正対象項目名】００３７
【補正方法】変更
【補正の内容】
【００３７】
請求項１０に記載の光ディスク装置は、光ディスクに対してデータを記録または再生する記録又は再生手段と、光ディスクのトラックに対する、記録又は再生手段の移動方向の反転を検出する検出手段と、光ディスクが１回転する期間のうちの、所定の期間のトラバース信号の振幅からオフセットを算出するオフセット算出手段と、所定の期間のトラバース信号のオフセットの最大値および最小値から光ディスクの面ぶれの量を算出する面ぶれ量算出手段と、面ぶれ量算出手段が、検出手段により反転が検出された所定の期間のトラバース信号に基づいて、面ぶれの量を算出するのを禁止する禁止手段とを含むことを特徴とする。
【手続補正１２】
【補正対象書類名】明細書
【補正対象項目名】００３８
【補正方法】変更
【補正の内容】
【００３８】
請求項１１に記載の記録又は再生方法は、光ディスクに対してデータを記録または再生する記録又は再生ステップと、光ディスクのトラックに対する、記録又は再生ステップでの移動方向の反転を検出する検出ステップと、光ディスクが１回転する期間のうちの、所定の期間のトラバース信号の振幅からオフセットを算出するオフセット算出ステップと、所定の期間のトラバース信号のオフセットの最大値および最小値から光ディスクの面ぶれの量を算出する面ぶれ量算出ステップと、面ぶれ量算出ステップで、検出ステップにおいて反転が検出された所定の期間のトラバース信号に基づいて、面ぶれの量を算出するのを禁止する禁止ステップとを含むことを特徴とする。
【手続補正１３】
【補正対象書類名】明細書
【補正対象項目名】００３９
【補正方法】変更
【補正の内容】
【００３９】
請求項１２に記載の媒体のプログラムは、光ディスクに対してデータを記録または再生する記録又は再生ステップと、光ディスクのトラックに対する、記録又は再生ステップでの移動方向の反転を検出する検出ステップと、光ディスクが１回転する期間のうちの、所定の期間のトラバース信号の振幅からオフセットを算出するオフセット算出ステップと、所定の期間のトラバース信号のオフセットの最大値および最小値から光ディスクの面ぶれの量を算出する面ぶれ量算出ステップと、面ぶれ量算出ステップで、検出ステップにおいて反転が検出された所定の期間のトラバース信号に基づいて、面ぶれの量を算出するのを禁止する禁止ステップとを含むことを特徴とする。
【手続補正１４】
【補正対象書類名】明細書
【補正対象項目名】００４０
【補正方法】変更
【補正の内容】
【００４０】
請求項１に記載の光ディスク装置、請求項２に記載の記録又は再生方法、および請求項３に記載の媒体においては、光ディスクに対してデータが記録または再生され、光ディスクのトラックに対する、移動方向の反転が検出され、光ディスクが１回転する期間のうちの、所定の期間のトラバース信号の振幅および振動回数が算出され、所定の期間のトラバース信号の振幅を基に、トラッキングエラー信号のレベルが調整され、反転が検出された所定の期間、またはトラバース信号の振動回数が所定の値以上である所定の期間のトラバース信号に基づいて、調整処理を行うのが禁止される。
【手続補正１５】
【補正対象書類名】明細書
【補正対象項目名】００４１
【補正方法】変更
【補正の内容】
【００４１】
請求項４に記載の光ディスク装置、請求項５に記載の記録又は再生方法、および請求項６に記載の媒体においては、光ディスクに対してデータが記録または再生され、光ディスクのトラックに対する、移動方向の反転が検出され、光ディスクが１回転する期間のうちの、所定の期間のトラバース信号の振幅からオフセットが算出され、所定の期間のトラバース信号のオフセットを基に、トラッキングエラー信号のオフセットが調整され、反転が検出された所定の期間のトラバース信号に基づいて、調整処理を行うのが禁止される。
【手続補正１６】
【補正対象書類名】明細書
【補正対象項目名】００４２
【補正方法】変更
【補正の内容】
【００４２】
請求項７に記載の光ディスク装置、請求項８に記載の記録又は再生方法、および請求項９に記載の媒体においては、光ディスクが１回転する期間のトラバース信号の振動回数がカウントされ、光ディスクが１回転する期間のトラバース信号の振動回数、および光ディスクが１回転する期間のうちの、所定の期間当たりの振動回数の変化を基に、光ディスクの偏芯量が算出される。
【手続補正１７】
【補正対象書類名】明細書
【補正対象項目名】００４３
【補正方法】変更
【補正の内容】
【００４３】
請求項１０に記載の光ディスク装置、請求項１１に記載の記録又は再生方法、および請求項１２に記載の媒体においては、光ディスクに対してデータが記録または再生され、光ディスクのトラックに対する、移動方向の反転が検出され、光ディスクが１回転する期間のうちの、所定の期間のトラバース信号の振幅からオフセットが算出され、所定の期間のトラバース信号のオフセットの最大値および最小値から光ディスクの面ぶれの量が算出され、反転が検出された所定の期間のトラバース信号に基づいて、面ぶれの量を算出するのが禁止される。
【手続補正１８】
【補正対象書類名】明細書
【補正対象項目名】００６７
【補正方法】変更
【補正の内容】
【００６７】
【数２】
2000339728.tif 000001
【手続補正１９】
【補正対象書類名】明細書
【補正対象項目名】０１０８
【補正方法】変更
【補正の内容】
【０１０８】
【発明の効果】
請求項１に記載の光ディスク装置、請求項２に記載の記録又は再生方法、および請求項３に記載の媒体によれば、光ディスクに対してデータが記録または再生され、光ディスクのトラックに対する、移動方向の反転が検出され、光ディスクが１回転する期間のうちの、所定の期間のトラバース信号の振幅および振動回数が算出され、所定の期間のトラバース信号の振幅を基に、トラッキングエラー信号のレベルが調整され、反転が検出された所定の期間、またはトラバース信号の振動回数が所定の値以上である所定の期間のトラバース信号に基づいて、調整処理を行うのが禁止されるようにしたので、正しくトラッキングエラー信号を調整できるようになる。
【手続補正２０】
【補正対象書類名】明細書
【補正対象項目名】０１０９
【補正方法】変更
【補正の内容】
【０１０９】
請求項４に記載の光ディスク装置、請求項５に記載の記録又は再生方法、および請求項６に記載の媒体によれば、光ディスクに対してデータが記録または再生され、光ディスクのトラックに対する、移動方向の反転が検出され、光ディスクが１回転する期間のうちの、所定の期間のトラバース信号の振幅からオフセットが算出され、所定の期間のトラバース信号のオフセットを基に、トラッキングエラー信号のオフセットが調整され、反転が検出された所定の期間のトラバース信号に基づいて、調整処理を行うのが禁止されるようにしたので、正しくトラッキングエラー信号を調整できるようになる。
【手続補正２１】
【補正対象書類名】明細書
【補正対象項目名】０１１０
【補正方法】変更
【補正の内容】
【０１１０】
請求項７に記載の光ディスク装置、請求項８に記載の記録又は再生方法、および請求項９に記載の媒体によれば、光ディスクが１回転する期間のトラバース信号の振動回数がカウントされ、光ディスクが１回転する期間のトラバース信号の振動回数、および光ディスクが１回転する期間のうちの、所定の期間当たりの振動回数の変化を基に、光ディスクの偏芯量が算出されるようにしたので、迅速に、正確な偏芯量を測定できるようになる。
【手続補正２２】
【補正対象書類名】明細書
【補正対象項目名】０１１１
【補正方法】変更
【補正の内容】
【０１１１】
請求項１０に記載の光ディスク装置、請求項１１に記載の記録又は再生方法、および請求項１２に記載の媒体によれば、光ディスクに対してデータが記録または再生され、光ディスクのトラックに対する、移動方向の反転が検出され、光ディスクが１回転する期間のうちの、所定の期間のトラバース信号の振幅からオフセットが算出され、所定の期間のトラバース信号のオフセットの最大値および最小値から光ディスクの面ぶれの量が算出され、反転が検出された所定の期間のトラバース信号に基づいて、面ぶれの量を算出するのが禁止されるようにしたので、迅速に、正確な面ぶれの量を把握できるようになる。